(57)【特許請求の範囲】
【請求項１】
コンピュータネットワークと、
該コンピュータネットワークと接続し、特別の記号を備えた情報を、前記コンピュータネットワークに送信する、少なくとも１つのサーバと、
前記コンピュータネットワークと接続し、前記コンピュータネットワークから入力した情報の中に前記特別の記号が存在する場合に、前記情報を送信したサーバを特定する特別のデータを前記情報の特別の記号に付加する通信事業者のゲートウエイと、
通信事業者が専有的に表示可能であり第三者による編集が不可能な専用表示領域と一般表示領域とを有する表示部を備え、該通信事業者と無線通信し、前記特別のデータが付加された情報を受信した場合に、前記特別のデータを前記専用表示領域に表示すると共に、前記情報を前記一般表示領域に表示する携帯端末と、を有し、
前記専用表示領域に表示された前記特別のデータにより前記情報が送信されたサーバが特定されることを特徴とするサービス提供システム。
【請求項２】
前記情報の特別の記号が、ＴＳＩタグであり、前記特別の記号に付加される特別のデータが、ＴＳＩデータであることを特徴とする請求項１に記載のサービス提供システム。
【請求項３】
前記通信事業者が、前記ＴＳＩタグを検出して前記情報を送信したサーバのアドレスを取得し、その取得したアドレスに対応するＴＳＩデータをＴＳＩデータベースより読み出すタグ検出部を有することを特徴とする請求項２に記載のサービス提供システム。
【請求項４】
前記タグ検出部は、前記情報を送信したサーバのアドレスに対応するＴＳＩデータが前記ＴＳＩデータベース内に存在しない場合、その検出したＴＳＩタグを前記情報から削除することを特徴とする請求項３に記載のサービス提供システム。
【発明の詳細な説明】
【０００１】
【発明の属する技術分野】
本発明は、インターネット等のオープンなコンピュータネットワークを介して情報を提供するサービス提供システムに関する。特に、本発明は、コンピュータネットワークから提供される情報の信頼性を保証し、かつ、その信頼性を第三者に提示することが可能なサービス提供システム、サービス提供方法、および、このサービス提供システムで利用される携帯端末に関する。
【０００２】
【従来の技術】
近年、コンピュータネットワークに接続されたサービス提供者の情報提供サイトに、公衆回線やプロバイダー等を介してアクセスし、所定の催し物に入場するためのチケットを予約する機能を有する携帯電話が提案されて来ている。
【０００３】
この携帯電話には、コンピュータネットワークに接続する機能が備えられており、所定の予約モードに切り換えられることで、予約動作に移行する。具体的には、予約モードに切り換えられると、この携帯電話は、基地局、データ通信網およびプロバイダー等を介してコンピュータネットワーク上の情報提供サイトにアクセスする。この携帯電話と情報提供サイトとの間で接続が完了すると、情報提供サイトより種々の催し物の案内情報が携帯電話に送られる。そして、携帯電話の表示部に提供された案内情報が表示される。携帯電話の利用者は、その表示された案内を見て希望する催し物を選択して予約を希望する。利用者からの要求が情報提供サイトで予約受け付け可能である場合には、情報提供サイトは、携帯電話に予約番号および料金振込みの指示情報を送信する。利用者は、携帯電話の表示部に表示された指示情報に基づいて、料金決済を行ない、チケットの予約動作を完了する。
【０００４】
しかしながら、上述した従来の携帯電話を用いたチケット予約システムでは、予約動作の完了後は従来のチケット入手方法と同じ方法を取っていた。すなわち、予約した利用者は、携帯電話より得た予約番号および料金振込み指示情報にしたがって、情報提供サイトのサービス提供者と提携しているチケット販売業者に対して、金融機関を通して料金を振り込み、その振り込み確認後にチケット販売業者よりチケットが郵送されて来るようになっていた。
【０００５】
言い換えるならば、チケットの予約は携帯電話を通して行われるが、相変わらずチケットは紙製であり、従来のチケット業者を介して送られ、それを持って催し物の会場へ行かなければならないものであった。
【０００６】
したがって、上記従来方法では、紙製のチケットを相当数作成しなければならないと共に、チケット販売業者と提携して販売しなければならず、チケット販売に大きな経費がかかってしまうものであった。
【０００７】
また、チケットを忘れると催し物の会場に入場できないため、利用者はチケットの置き忘れ等に非常に気を使わなければならない等の欠点もあった。
【０００８】
【発明が解決しようとする課題】
本発明は、上述の如き問題点を解決するためになされたものであり、チケットそのものの情報を情報提供サイトから携帯電話にダウンロードし、携帯電話にそのチケット情報を保存することで、紙製のチケットを廃し、経費を大幅に減少させることができるサービス提供システムを提供することを目的とする。
【０００９】
本発明の他の目的は、第三者による偽造や改ざんの恐れなしにチケット情報を携帯端末に送信することができるサービス提供システムを提供することである。
【００１０】
ところで、こうしたチケット情報の提供サービスを行なおうとした場合、チケットを提供する情報提供サーバの信頼性を保証することが非常に重要な事柄となるであろう。なぜならば、チケットの出所が保証されなければ、第三者（たとえば、もぎり）はそのチケットが正当なものであるか否かを判断できないからである。
【００１１】
そこで、本発明のさらに他の目的は、情報源の信頼性を保証し、さらにその信頼性を第三者（たとえば、もぎり）に提示することが可能なサービス提供システムを提供することである。
【００１２】
【課題を解決するための手段】
本願において開示される発明のうち、代表的なものの概要を簡単に説明すれば、次の通りである。すなわち、本発明は、情報源を保証するサービス提供システムであって、（ａ）コンピュータネットワークと、（ｂ）コンピュータネットワークと接続し、特別の記号（Trusted site indicator タグ）を備えた情報を、コンピュータネットワークに送信する、少なくとも１つのサーバ（情報提供サーバ）と、（ｃ）コンピュータネットワークと接続し、コンピュータネットワークから入力した情報の中にＴＳＩタグが存在する場合に、情報を送信した情報提供サーバを特定する特別のデータ（Trusted site indicator データ）を入力した情報に付加する通信事業者と、（ｄ）第三者によって編集や改ざんが不可能である専用表示部を備え、通信事業者と無線通信し、ＴＳＩデータが付加された情報を受信した場合に、ＴＳＩデータを専用表示部に表示する携帯端末と、から構成されることを特徴とする。
【００１３】
正当な情報提供サーバそれぞれには、あらかじめ固有のＴＳＩデータが割り当てられている。通信事業者は、ＴＳＩタグが埋め込まれた情報を受信すると、その情報を送信した情報提供サーバのＴＳＩデータを取得し、そのＴＳＩデータを情報に追加する。そして、通信事業者は、そのＴＳＩデータが追加された情報を、携帯端末に送信する。携帯端末は、そのＴＳＩデータを第三者が編集不可能な専用表示部に表示することで、利用者にＴＳＩデータを提示する。この提示されたＴＳＩデータは、情報を送信した情報提供サーバを特定するものであり、第三者によって改ざん不可能である。このため、情報源が特定され、携帯端末に表示された情報が保証されることになる。
【００１４】
【発明の実施の形態】
以下図面を参照して、本発明の実施の形態を説明する。以下の図面の記載において、同一または類似の部分には同一または類似の符号を付している。
【００１５】
（第１の実施の形態）
図１は、本発明の第１の実施の形態に係るサービス提供システムの構成を示すブロック図である。図１に示すように、この第１の実施の形態に係るサービス提供システムは、インターネット等のオープンなコンピュータネットワーク１と、コンピュータネットワーク１に接続されたサービス提供者の情報提供サイト３と、プロバイダ５を介してコンピュータネットワーク１に接続された通信事業者６と、通信事業者６と無線通信する、サービス利用者の携帯端末１３と、から少なくとも構成されている。図１では、説明の簡単化を図るため、情報提供サイト３を１つとしているが、実際には、多数の情報提供サイト３がコンピュータネットワーク１に接続されている。
【００１６】
ここで、コンピュータネットワーク１としてはたとえば、インターネットが挙げられる。インターネットは、パケット通信をベースとするＴＣＰ／ＩＰプロトコルによって構築された、世界中のコンピュータを相互接続するネットワークの総称である。もちろん、コンピュータネットワーク１として、インターネット以外のネットワークを用いても構わない。たとえば、衛星ネットワーク、無線ネットワークであっても良い。
【００１７】
通信事業者６は、プロバイダ５を介して、コンピュータネットワーク１と接続するサービス提供モードゲートウェイ７と、ゲートウェイ７と接続する、パケット通信可能なデータ通信網９と、データ通信網９と接続し、携帯端末１３との間で無線通信する無線基地局１１と、を備えている。ゲートウェイ７とコンピュータネットワーク１とを接続するプロバイダ５は、インターネット等のコンピュータネットワーク１への接続サービスを提供する事業者である。通信事業者６は、プロバイダ５を介して、コンピュータネットワーク１に接続する。プロバイダ５にはたとえば、ネットワーク上の中継措置であるルーターや、異種のネットワークを結合するためのゲートウェイ等が備えられている。また、図１では、通信事業者６は、プロバイダ５を介して、コンピュータネットワーク１に間接的に接続しているが、もちろん、通信事業者６とコンピュータネットワーク１とが直接接続される場合であっても、本発明は適用可能である。
【００１８】
携帯端末１３は、携帯電話、ＰＣ、ＰＤＡ等の、持ち運び可能な無線端末であり、通信事業者６の基地局１１と接続する無線通信機能を備えている。そして、たとえば図２（ａ）に示すように、携帯端末１３は、種々の指示を入力するためのキー入力部２３と、種々の情報表示を行う表示部２５と、が設けられている。また、携帯端末１３には、情報提供サイト３から提供されるサービスを利用するためのサービス提供モードと、通常の携帯電話機能を実現するための電話モードと、が設定されている。携帯端末１３は、図２（ｂ）に示すように、これら２つのモードを達成するためのプログラムを格納する命令メモリ２７と、各種の処理を行なう中央処理装置（ＣＰＵ）２９と、各種の情報を一時的に保持するデータメモリ３１と、をさらに備えている。命令メモリ２７に格納されたプログラムは必要に応じてＣＰＵ２９により読み込まれ、ＣＰＵ２９によって実行されることになる。
【００１９】
情報提供サイト３は、携帯端末１３との間で情報をやり取りする情報提供サーバ１５と、携帯端末１３に提供されるサービスに関する情報を格納する情報データベース１７と、を備えている。情報提供サーバ１５はたとえば汎用のコンピュータで構成されており、大容量記憶装置を備えている。この大容量記憶装置は、たとえばハードディスクや光磁気ディスクである。もちろん、ハードディスクや光磁気ディスクは、サーバ１５の内部に配置されていても良いし、サーバ１５の外部に配置されていても構わない。この大容量記憶装置の格納領域の一部は、情報データベース１７を構成している。サーバー１５は、携帯端末１３からの要求に応じて、情報データベース１７内の情報を、携帯端末１３に送信する。情報提供サーバ１５それぞれには、コンピュータネットワーク１上における、固有のアドレスが付与されている。このアドレスとしてはたとえば、インターネットに接続されるコンピュータ（ノード）に割り当てられるＩＰアドレスを用いれば良い。情報提供サーバ１５は、このアドレスによって、コンピュータネットワーク１上で一意に特定されることになる。
【００２０】
通信事業者６のゲートウェイ７は、情報提供サーバ１５から携帯端末１３に提供される情報内のTrusted site indicator （ＴＳＩ）タグを検出するタグ検出部１９と、ＴＳＩデータベース２１と、を備えている。ＴＳＩタグは情報提供サイト３から送信されるチケット情報に埋め込まれ、チケット情報と共に携帯端末１３に送信される。そして、携帯端末１３は、ＴＳＩタグを読み込むことで、ＴＳＩタグによって指定されたＴＳＩデータを、携帯端末１３の表示部２５に表示させることができる。タグ検出部１９は、情報提供サーバ１５から送信された情報内にＴＳＩタグが存在するか否かを検出する。ＴＳＩタグが検出されると、タグ検出部１９は、その情報を送信した情報提供サーバ１５に対応するＴＳＩデータを、ＴＳＩタグに付加する。具体的には、ＴＳＩデータは、情報提供サーバ１５それぞれの、コンピュータネットワーク１上のアドレスに対応する、各情報提供サーバ１５固有のデータである。情報提供サーバ１５それぞれには、あらかじめ、情報提供サーバ１５のアドレスに関連付けられたＴＳＩデータが割り当てられている。ＴＳＩデータベース２１は、情報提供サーバ１５それぞれのＴＳＩデータを、情報提供サーバ１５のアドレスに関連付けて、格納する。タグ検出部１９は、送信される情報内にＴＳＩタグを発見すると、情報提供サーバ１５のアドレスを参照して、その情報提供サーバ１５に対応するＴＳＩデータをＴＳＩデータベース２１から取得する。そして、その取得されたＴＳＩデータをＴＳＩタグに付加する。このタグ検出部１９は、たとえばソフトウェアや、ハードウェア化されたプログラム等によって実現可能である。
【００２１】
次に、図３乃至図５を用いて、本発明の第１の実施の形態に係るサービス提供システムによって提供されるサービスについて説明する。この第１の実施の形態に係るサービス提供システムの動作は、大きく分けて、（Ａ）予約動作、（Ｂ）チケット受け取り動作、および、（Ｃ）入場動作、の３つの動作に分けることができる。
【００２２】
（Ａ）予約動作
まず、図３を参照して、予約動作について説明する。
【００２３】
ステップＳ１０１において、携帯端末１３の利用者は、携帯端末１３のキー入力部２３を操作することで、携帯端末１３のモードを、電話モードからサービス提供モードに切り換える。次に、ステップＳ１０３において、携帯端末１３は、基地局１１、データ通信網９、プロバイダ５およびコンピュータネットワーク１を介して、サービス提供者の情報提供サイト３にアクセスし、情報提供サーバ１５と接続する。
【００２４】
次に、ステップＳ１０５において、情報提供サイト３が提供するサービスのメニュー情報が、情報提供サーバ１５から携帯端末１３に送信される。送信されたサービスメニュー情報は、携帯端末１３の表示部２５に表示される。なお、このサービスメニュー情報内にはＴＳＩタグは設定されていない。したがって、ゲートウェイ７のタグ検出部１９は、サービスメニュー情報内にＴＳＩタグを検出することなく、そのままメニュー情報をデータ通信網９に送出する。
【００２５】
次に、ステップＳ１０７において、携帯端末１３の利用者は、携帯端末１３の表示部２５に表示されたサービスメニュー情報を閲覧し、所定のサービス（ここでは、催し物予約）を指定する。その指定の要求は、基地局１１、データ通信網９、ゲートウェイ７、プロバイダ５およびコンピュータネットワーク１を介して、情報提供サイト３に送信される。指定の要求を受けた情報提供サイト３は、その指定が予約受付け可能（席が空いている）であれば、予約了解の通知（予約番号等）を携帯端末１３に送信する。そして、ステップＳ１０９において、携帯端末１３は、その予約通知を受信する。
【００２６】
次に、ステップＳ１１１において、予約通知を受けた利用者は、たとえば携帯端末１３を介して、クレジットカードのカード番号および暗証番号を情報提供サイト３へ通知し、料金の決済を行なうことで、予約動作を完了する。もちろん、金融機関への振り込み、現金書留め等を利用しても構わない。
【００２７】
（Ｂ）チケット受け取り動作
次に、図４を参照して、チケットの受け取り動作について説明する。
【００２８】
図３のステップＳ１１１の料金決済が終了すると、ステップＳ２０１において、情報提供サイト３の情報提供サーバ１５は、利用者の携帯端末１３に対して、ＴＳＩタグが埋め込まれたチケット情報を送信する。ＴＳＩタグが埋め込まれたチケット情報は、コンピュータネットワーク１およびプロバイダ５を介して通信事業者６のサービス提供モードゲートウェイ７に入力される。
【００２９】
次に、ステップＳ２０３において、チケット情報がゲートウェイ７に入力されると、タグ検出部１９は、チケット情報内のＴＳＩタグを検出する。ＴＳＩタグを検出すると、ステップＳ２０５において、タグ検出部１９は、チケット情報を送信した情報提供サーバ１５のアドレスを取得し、そのアドレスに対応するＴＳＩデータをＴＳＩデータベース２１から読み出す。次に、ステップＳ２０７において、タグ検出部１９は、取得したＴＳＩデータをＴＳＩタグに付加した後、チケット情報をデータ通信網９に送出する。また、タグ検出部１９は、元々埋め込まれていたＴＳＩタグ（第１のＴＳＩタグ）を削除し、新たな第２のＴＳＩタグに置き換えるようにしても良い。
【００３０】
次に、ステップＳ２０９において、携帯端末１３は、ＴＳＩデータが付加されたＴＳＩタグを持つチケット情報を、データ通信網９、基地局１１を介して、受信する。
【００３１】
ところで、図２の携帯端末１３の表示部２５は、通信事業者６が専有的に表示可能であり、第三者による編集が不可能な専用表示領域と、この専用表示領域以外の一般表示領域と、に分けられる。通信事業者６は、この専用表示領域の表示内容を制御するための制御信号を生成し、その制御信号を情報提供サーバ１５から送信される一般情報と共に、携帯端末１３に送信する。
【００３２】
通常、上記のＴＳＩタグおよびＴＳＩデータは、通信事業者６内でチケット情報から分離され、上記の制御信号に加えられて、携帯端末１３に送信される。一方、ＴＳＩタグおよびＴＳＩデータを除くチケット情報は、上記の一般情報として、携帯端末１３に送信される。この場合、ＴＳＩデータは、携帯端末１３の表示部２５の専用表示領域に表示され、チケット情報は表示部２５の一般表示領域に表示されることになる。この専用表示領域の表示内容の、第三者による改ざんは、ほとんど不可能であり、表示されたＴＳＩデータの信頼性が保証されることになる。
【００３３】
もちろん、ＴＳＩタグおよびＴＳＩデータをチケット情報から分離することなく、一般情報として、携帯端末１３に送信しても構わない。この場合には、携帯端末１３が、チケット情報からＴＳＩタグおよびＴＳＩデータを分離し、表示部２５の専用表示領域にＴＳＩデータを表示させるようにすれば良い。
【００３４】
また、ＴＳＩデータを暗号化して携帯端末１３に送信することで、ＴＳＩデータのセキュリティを高めることができる。たとえば、ＴＳＩタグにＴＳＩデータを付加する際に、ＴＳＩデータを暗号化し、携帯端末１３内で、暗号化されたＴＳＩデータを復号した後、専用表示領域に表示するように構成すれば良い。
【００３５】
一方、上記の図４のステップＳ２０５において、チケット情報を送信した情報提供サーバ１５のアドレスに対応するＴＳＩデータがＴＳＩデータベース２１内に存在しない場合、タグ検出部１９は、ＴＳＩタグをチケット情報内から削除する。つまり、タグ検出部１９は、アドレスに対応するＴＳＩデータの無い情報提供サイト３（情報提供サーバ１５）は、不正なサイトであると判断し、埋め込まれているＴＳＩタグを削除する。この場合、このＴＳＩタグの削除されたチケット情報を入手した携帯端末１３の表示部２５には、当然のことながら、ＴＳＩデータは表示されないことになる。したがって、携帯端末１３の表示部２５に表示されたチケット情報の出所を明らかにすることはできず、チケット情報の信頼性は保証されない。さらに、ＴＳＩデータを表示しないかわりに、「不正サイトである」という旨を示す信号が、携帯端末１３の表示部２５に表示されるようにしても良い。もちろん、表示部２５以外の場所に表示しても良い。
【００３６】
次に、ステップＳ２１１において、ＴＩＳデータを含むチケット情報を受信した携帯端末１３の表示部２５は、図６に例示するように、その専用表示領域３３にＴＳＩデータ（ＳＴＫＴ２２）を表示し、専用表示領域３３以外の一般表示領域にチケット情報（コンサート情報）を表示する。そして、このＴＳＩデータおよびチケット情報は、一対として、図２（ｂ）の携帯端末１３のデータメモリ３１に記憶され、所定の操作により、随時表示可能となっている。また、図６では、表示部２５の一部に専用表示領域３３を設けているが、専用表示領域３３と一般表示領域とを物理的に分離し、異なる画面に配置してももちろん構わない。
【００３７】
（Ｃ）入場動作
次に、図５を参照して、入場動作について説明する。
【００３８】
ステップＳ３０１において、携帯端末１３の利用者は、予約したコンサートの当日に、携帯端末１３をコンサート会場に持参する。次に、ステップＳ３０３において、携帯端末１３を操作してデータメモリ３１に記憶されたＴＳＩデータおよびチケット情報を読み出し、表示部２５に表示させる。そして、会場受け付け係に、表示部２５に表示されたＴＳＩデータおよびチケット情報を提示する。
【００３９】
そこで、ステップＳ３０５において、会場受け付け係は、携帯端末１３の表示部２５に表示されたチケット情報およびＴＳＩデータをチェックし、あらかじめ知らされたＴＳＩデータおよびチケット情報と一致するか否かを確認する。そして、一致すれば、その利用者に対して入場を許可することになる。
【００４０】
なお、利用者の入場の際、通常の紙のチケットの場合、入場者の確認や入場済チケットの確認のために、チケットの一部を取り去る「もぎり」の処理が必要となる。本発明の場合、たとえば、入場の際、受け付け係が携帯端末１３に所定の操作を施すことで、携帯端末１３の表示部２５に「もぎり済」が表示されるようにすれば良い。また、受け付け係の操作に呼応して、情報提供サイト１５にアクセスし、入場者の確認をしても良い。さらに、会場受け付けに配置された端末と携帯端末１３との間で無線通信することで、会場受け付けの端末から携帯端末１３に「もぎり済」の情報を入力するようにしても良い。
【００４１】
（第２の実施の形態）
次に、本発明の第２の実施の形態について説明する。上記の第１の実施の形態では、通信事業者６が、送信されるチケット情報内のＴＳＩタグを検出し、その検出されたＴＳＩタグにＴＳＩデータを付加する処理を行なっている。さらに、多数のＴＳＩデータを格納するＴＳＩデータベース２１も通信事業者６が保持している。これに対して、この第２の実施の形態では、携帯端末が、受信したチケット情報内のＴＳＩタグを検出し、その検出されたＴＳＩタグにＴＳＩデータを付加する処理を実行する。さらに、ＴＳＩデータを格納するＴＳＩデータベースは、通信事業者内には存在せず、たとえばコンピュータネットワーク上に存在する。つまり、この第２の実施の形態では、通信事業者は、情報提供サイトから送信される情報をそのまま携帯端末に送信するだけであり、一方、携帯端末が、ＴＳＩタグを検出し、ＴＳＩデータの取得を行なう例である。
【００４２】
図７は、本発明の第２の実施の形態に係るサービス提供システムの構成を示すブロック図である。図７に示すように、この第２の実施の形態に係るサービス提供システムは、インターネット等のオープンなコンピュータネットワーク１と、コンピュータネットワーク１に接続されたサービス提供者の情報提供サイト３と、プロバイダ５を介してコンピュータネットワーク１に接続された通信事業者３５と、通信事業者３５と無線通信する、サービス利用者の携帯端末３７と、コンピュータネットワーク１に接続されたＴＳＩデータベース３９と、から少なくとも構成されている。図７においても、図１と同様、説明の簡単化を図るため、情報提供サイト３を１つとしている。
【００４３】
本発明の第２の実施の形態に係る携帯端末３７は、情報提供サイト３から送信されるチケット情報にＴＳＩタグが埋め込まれているか否かを検出するタグ検出部を備えている。つまり、携帯端末３７には、第１の実施の形態に係るタグ検出部１９と同一の機能を実現するタグ検出プログラムがあらかじめインストールされている。この検出プログラムはたとえば、図２（ｂ）に示したような、携帯端末３７に搭載された命令メモリ２７に格納される。
【００４４】
携帯端末１３が情報提供サイト３から送信されたチケット情報を受信すると、携帯端末１３内のタグ検出プログラムが実行される。そして、タグ検出プログラムの実行によって、チケット情報内にＴＳＩタグが存在するか否かが検出される。ＴＳＩタグが検出されると、携帯端末１３は、コンピュータネットワーク１に接続されたＴＳＩデータベース３９にアクセスし、チケット情報を送信した情報提供サーバ１５のアドレスに対応するＴＳＩデータを検索する。対応するＴＳＩデータがＴＳＩデータベース３９内に有れば、携帯端末１３はそのＴＳＩデータを取得し、表示部に表示する。一方、対応ＴＳＩデータが無ければ、ＴＳＩタグの削除を行なう。
【００４５】
（その他の実施の形態）
上記の第１および第２の実施の形態では、催し物のチケット予約を例にして説明したが、本発明はこれに限られるものではない。たとえば、利用者が、自分の身分証明書を、役所以外の場所で受領することができるようにするサービスを提供する場合に、本発明を適用可能である。あらかじめ役所のサイトで身分証明書の発行を予約し、ＴＳＩデータを取得しておき、受領する場所でＴＳＩデータが表示された携帯端末を提示することで、身分証明書を発行する第三者は、その予約を信頼し、身分証明書を利用者に渡すことが可能となる。
【００４６】
また、たとえば銀行、証券等の、信用第一のビジネスを行なう機関においては、サイトの信頼性を高めることは非常に重要な事柄である。上記のような機関は、自己のサイトから送信される情報に、ＴＳＩデータを付加することで、その情報に信頼性を与え、それにより、自己のサイトの信用を確保することが可能となる。
【００４７】
【発明の効果】
本発明によれば、情報源の信頼性を保証し、さらにその信頼性を第三者に提示することが可能なサービス提供システムを実現できる。
【図面の簡単な説明】
【図１】本発明の第１の実施の形態に係るサービス提供システムの構成を示すブロック図である。
【図２】（ａ）は、本発明の第１の実施の形態に係る携帯端末の外観を示す模式図、（ｂ）は、本発明の第１の実施の形態に係る携帯端末の構成を示すブロック図である。
【図３】本発明の第１の実施の形態に係るサービス提供方法の処理手順を示すフローチャートである。
【図４】本発明の第１の実施の形態に係るサービス提供方法の処理手順を示すフローチャートである。
【図５】本発明の第１の実施の形態に係るサービス提供方法の処理手順を示すフローチャートである。
【図６】図２（ａ）の携帯端末の表示部の内容を示す模式図である。
【図７】本発明の第２の実施の形態に係るサービス提供システムの構成を示すブロック図である。
【符号の説明】
１  コンピュータネットワーク
３  情報提供サイト
５  プロバイダ
６，３５  通信事業者
７  サービス提供モードゲートウェイ
９  データ通信網
１１  無線基地局
１３，３７  携帯端末
１５  情報提供サーバ
１７  情報データベース（情報ＤＢ）
１９  タグ検出部
２１，３９  ＴＳＩデータベース（ＴＳＩＤＢ）
２３  キー入力部
２５  表示部
２７  命令メモリ
２９  中央処理装置（ＣＰＵ）
３１  データメモリ
３３  専用表示領域
【図１】
0004149636.tif 000002
【図２】
0004149636.tif 000003
【図３】
0004149636.tif 000004
【図４】
0004149636.tif 000005
【図５】
0004149636.tif 000006
【図６】
0004149636.tif 000007
【図７】
0004149636.tif 000008